(57)【特許請求の範囲】
【請求項１】
連接部によって左眼用レンズと右眼用レンズとが連接され、携帯型電子端末に表示された立体画像を立体視するレンズ部と、
一方端側が前記レンズ部の右側及び左側にそれぞれ折り畳み可能に連接され、他方端側に折り畳み可能な屈曲部を有する一対の側壁と、
前記レンズ部の上方側に折り畳み可能に連接された庇部と、
を備え、
前記側壁と前記庇部とが、前記レンズ部を挟んで互いに反対側に折り畳み可能であることを特徴とする、
立体表示具。
【請求項２】
請求項１に記載の立体表示具であって、
前記レンズ部の下方側に折り畳み可能に連接され、前記連接部と当接した状態で前記右眼用レンズと前記左眼用レンズとの間に立設する遮蔽部と、
を備えることを特徴とする、
立体表示具。
【請求項３】
前記連接部は、前記左眼用レンズと前記右眼用レンズとがなす角度を変更可能な状態で連接することを特徴とする、
請求項１又は２に記載の立体表示具。
【請求項４】
請求項１から３に記載の立体表示具であって、
前記庇部が挿入される保持ポケットと、前記携帯型電子端末を保持可能な保持部と、を備えたカバー部と、
を備えることを特徴とする、
立体表示具。
【請求項５】
前記屈曲部は、前記保持部と前記携帯型電子端末との間に挿入されることで、前記保持部と前記レンズ部との距離を所定の距離に位置決めすることを特徴とする、
請求項４に記載の立体表示具。
【発明の詳細な説明】
【技術分野】
【０００１】
本発明は、立体表示具に関する。
【背景技術】
【０００２】
従来から、表示画面に表示される立体画像を立体視することができる立体視眼鏡が知られている。例えば、特許文献１には、携帯用ゲーム機の表示画面に表示される立体画像を立体視するための眼鏡部を備えた立体視眼鏡が記載されている。この立体視眼鏡では、その使用状態において、表示画面を挟む２方向から前記ゲーム機の側面に対して当接する互いに対向する当接前壁部と当接後壁部とを有し、当接前壁部と当接後壁部が前記ゲーム機の表示画面に対向するように当該眼鏡部を支持する眼鏡支持部を有している。こうすることにより、携帯用ゲーム機の表示画面に表示される立体画像を安定的に立体視することを可能としている。
【先行技術文献】
【特許文献】
【０００３】
【特許文献１】特開２００７−７５３００号公報
【発明の概要】
【発明が解決しようとする課題】
【０００４】
しかしながら、こうした立体視眼鏡では、表示画面で表示された立体画像を立体視するために、表示画面と眼鏡部のレンズとを所定の距離離れた位置で固定する必要があり、立体視眼鏡自身が立体的であり嵩張るため、携帯する際の利便性が低いという課題がある。特に、近年の携帯型電子端末の普及により、携帯型電子端末と一緒に携帯する携帯型立体視表示具として使用するために、容易に携帯可能な立体視表示具の開発が熱望されている。
【０００５】
本発明は、このような課題に鑑みなされたものであり、携帯型電子端末と携帯し易い立体表示具を提供することを主目的とする。
【課題を解決するための手段】
【０００６】
本発明は、上述の主目的の少なくとも１つを達成するために以下の手段を採った。
【０００７】
本発明の立体表示具は、
連接部によって左眼用レンズと右眼用レンズとが連接され、携帯型電子端末に表示された立体画像を立体視するレンズ部と、
一方端側が前記レンズ部の右側及び左側にそれぞれ折り畳み可能に連接され、他方端側に折り畳み可能な屈曲部を有する一対の側壁と、
前記レンズ部の上方側に折り畳み可能に連接された庇部と、
を備え、
前記側壁と前記庇部とが、前記レンズ部を挟んで互いに反対側に折り畳み可能であることを特徴とする、
立体表示具。
【０００８】
この立体表示具は、携帯型電子端末に表示される立体画像を立体視するための左眼用レンズと右眼用レンズとが連接部によって連接されたレンズ部が備えられており、このレンズ部を介して携帯型電子端末を見ることで、立体画像を立体視することができる。このレンズ部の右側及び左側には、折り畳み可能な屈曲部を有する側壁が折り畳み可能に連接されている。このため、使用しない際には、屈曲部及び側壁を折り畳むことにより、立体表示具が占有する容積を小さくし、携帯しやすくすることができる。また、レンズ部の下方側には、庇部が折り畳み可能に連接されており、庇部をレンズ方向に折り畳むことで、立体表示具が占有する面積を小さくし、携帯しやすくすることができる。このとき、側壁と庇部とは、レンズ部に対してそれぞれ反対側に折り畳まれるため、側壁又は庇部を折り畳む際に、庇部又は側壁によって妨げられることがない。付言すると、立体表示具が占有する容積が使用時より小さい状態を維持しやすくなるため、携帯し易い状態を維持することができる。言い換えると、高い携帯性を有する。
【０００９】
本発明の立体表示具は、前記レンズ部の下方側に折り畳み可能に連接され、前記連接部と当接した状態で前記右眼用レンズと前記左眼用レンズとの間に立設する遮蔽部と、を備えることを特徴とするものである。こうすることにより、携帯型電子端末に表示された立体画像のうち、右眼用の立体画像が右眼用レンズを介して左眼で視認されたり、左眼用の立体画像が左眼用レンズを介して右眼で視認されたりする可能性を未然に低減することができる。
【００１０】
本発明の立体表示具において、前記連接部は、前記左眼用レンズと前記右眼用レンズとがなす角度を変更可能な状態で連接することを特徴としてもよい。こうすることにより、立体画像を立体視する際に最適な左眼用レンズと右眼用レンズの角度を定めることができるため、より容易に立体視することができる。また、使用しない際には、左眼用レンズと右眼用レンズとが同一平面状の位置に戻すことができるため、立体表示具が占有する容積を使用時よりも小さくすることができる。言い換えると、高い携帯性を有する。なお、ここで左眼用レンズと右眼用レンズとのなす角度は、１５５°以上１７５°以下が好ましく、１６０°以上１７０°以下がより好ましい。
【００１１】
本発明の立体表示具は、前記レンズ部の上方側に折り畳み可能に連接され、前記連接部と当接した状態で前記右眼用レンズと前記左眼用レンズとの間に立設する遮蔽部と、を備え、前記遮蔽部は、前記連接部と当接した状態で前記右眼用レンズと前記左眼用レンズとの間に立設した際、前記庇部と当接する固定部を備えていることを特徴としてもよい。こうすることにより、遮蔽部が右眼用レンズと左眼用レンズとの間に立設した際、安定的に固定することができる。
【００１２】
本発明の立体表示具は、前記庇部が挿入される保持ポケットと、前記携帯型電子端末を保持可能な保持部と、を備えたカバー部と、を備えることを特徴としてもよい。こうすれば、カバー部に携帯型電子端末を保持することで、携帯型電子端末と一緒に携帯することができる。付言すると、携帯型電子端末と別々に携帯する場合と比較して、高い携帯性を有する。この態様を採用した本発明の立体表示具において、前記屈曲部は、前記保持部と前記携帯型電子端末との間に挿入されることで、前記保持部と前記レンズ部との距離を所定の距離に位置決めすることを特徴としてもよい。こうすることにより、保持部に保持された携帯型電子端末とレンズ部との距離を所定の位置に位置決めすることができる。付言すると、携帯型電子端末で表示される立体画像を立体視する際、立体視し易い位置に携帯型電子端末を位置することができる。
【図面の簡単な説明】
【００１３】
【図１】図１は、カバー部２０及び立体表示具３０の使用状態を示す斜視図である。
【図２】図２は、立体表示具３０の構成の概略を示す斜視図である。
【図３】図３は、立体表示具３０の折り畳み方法の一例を説明するための説明図である。
【図４】図４は、立体表示具３０の折り畳み方法の一例を説明するための説明図である。
【発明を実施するための形態】
【００１４】
次に、本発明の実施の形態の一例として、立体表示具３０について詳しく説明する。以下に説明する実施の形態及び図面は、本発明の実施形態の一部を例示するものであり、これらの構成に限定する目的に使用されるものではなく、本発明の要旨を逸脱しない範囲において適宜変更することができる。なお、各図において対応する構成要素には同一又は類似の符号を付す。また、立体表示具３０の使用方法の一例を明らかにすることで、本発明の立体表示具の使用方法についても明らかにする。
【００１５】
本発明の実施の形態の一例である立体表示具３０は、図１及び図２に示すように、連接部３４によって折り曲げ可能に連接される左眼用レンズ３２ａと右眼用レンズ３２ｂとを備えたレンズ部３１と、一端側に左側屈曲部３８ａを有し他端側がレンズ部３１の左側に設けられた左側壁３６ａと、一端側に右側屈曲部３８ｂを有し他端側がレンズ部３１の右側に設けられた右側壁３６ｂと、レンズ部３１の上方側に連接された庇部４０と、連接部３４に当接する遮蔽部４２と、庇部４０を挿入する保持ポケット２２及び携帯型電子端末１０を保持する保持部２４を有するカバー部２０と、を主に備えている。この立体表示具３０を使用する際には、カバー部２０に保持された携帯型電子端末１０に表示された立体画像をレンズ３２を介して見ることで、立体画像を立体視することができる。
【００１６】
カバー部２０は、図１に示すように、内側面（図１中の上側の面）の一方側に保持ポケット２２が、内側面の他方側に保持部２４が、それぞれ設けられており、中央部で二つ折り可能なカバー部材である。このカバー部２０は、保持ポケット２２に後述する立体表示具３０の庇部４０が挿入され、保持部２４で携帯型電子端末１０が保持された状態で、使用される。なお、カバー部材としては、例えば、樹脂板や樹脂製シート、樹脂製フィルム、繊維、不織布、板等種々の素材を用いることができる。
【００１７】
保持ポケット２２は、カバー部２０の内側面の一方側に設けられたポケットであり、カバー部２０の内側方向に開口している。この保持ポケット２２に、立体表示具３０の庇部４０を挿入することで、カバー部２０に立体表示具３０を保持することができる。
【００１８】
保持部２４は、カバー部２０の他方側に設けられた粘着部材である。この粘着部材に携帯型電子端末１０の裏面側を粘着することにより、携帯型電子端末１０の裏面を傷つけることなく、カバー部２０の内側面に携帯型電子端末１０を保持することができる。この保持部２４は、例えば、シリコンやシリコンと樹脂の混合物である粘着性シリコンを用いることができる。この場合には、携帯型電子端末１０の裏面を傷つけることなく着脱可能であるため、複数種類の携帯型電子端末をそれぞれ保持したり、携帯型電子端末１０を取り外して使用したりする場合に、利便性が高い。なお、この保持部２４は、携帯型電子端末１０を保持できるものであれば、特に限定されるものではなく、例えば、種々のスマートフォン用のカバーを使用することができる。こうすることで、携帯型電子端末１０を十分に保持することができ、携帯型電子端末１０が外れて、落下したり破損したりする可能性を未然に低減することができる。
【００１９】
立体表示具３０は、図２に示すように、主に、携帯型電子端末１０の図示しない表示画面に表示された立体画像を立体視する左眼用レンズ３２ａ及び右眼用レンズ３２ｂと、左眼用レンズ３２ａと右眼用レンズ３２ｂとを連接する連接部３４と、一端側が左眼用レンズ３２ａと折り畳み可能に連接し、他端側が左側屈曲部３８ａと折り畳み可能に連接する左側壁３６ａと、一端側が右眼用レンズ３２ｂと折り畳み可能に連接し、他端側が右側屈曲部３８ｂと折り畳み可能に連接する右側壁３６ｂと、左眼用レンズ３２ａ及び右眼用レンズ３２ｂの上方側にそれぞれ設けられた左側庇部４０ａ及び右側庇部４０ｂと、連接部３４に当接する遮蔽部４２と、からなり、左眼用レンズ３２ａ及び右眼用レンズ３２ｂを除く部分は、紙製である。この立体表示具３０は、図３（ａ）に示すように、保持部２４に保持された携帯型電子端末１０の背面側に左側屈曲部３８ａ及び右側屈曲部３８ｂを挿入して使用する。こうすることにより、携帯型電子端末１０に表示された立体画像を立体視することができる。
【００２０】
左眼用レンズ３２ａ及び右眼用レンズ３２ｂ（以下、「レンズ３２」ともいう。）は、左眼と右眼との視差を利用して平面像を立体視することを補助するための公知の立体視レンズであり、略正方形形状に形成されている。なお、立体視の方式はベクトグラム方式を利用するものであっても、トラナグラム方式を利用するものであっても、他の原理を利用するものであってもよい。
【００２１】
連接部３４は、左眼用レンズ３２ａと右眼用レンズ３２ｂとを連接する部材であり、レンズ３２を連接する際、レンズ３２を位置決め可能な弾性を有し、レンズ３２の主面方向に屈曲可能な部材でできている。このような部材としては、例えば、厚紙や樹脂製板、樹脂製フィルム等があげられる。このような部材を用いることで、左眼用レンズ３２ａの主面と右眼用レンズ３２ｂの主面とがなす角度を変更することができる。こうすることにより、レンズ３２の角度をそれぞれ表示された立体画像に最適な角度となるようにレンズ３２を配置することができるため、より立体視をし易くすることができる。
【００２２】
左側壁３６ａ及び右側壁３６ｂ（以下、「側壁３６」ともいう。）は、一端側が左眼用レンズ３２ａ又は右眼用レンズ３２ｂとそれぞれ屈曲可能に連接されており、他端側には、左側屈曲部３８ａ及び右側屈曲部３８ｂ（以下、「屈曲部３８」ともいう。）が、それぞれ屈曲可能に連接された平板状の部材である。この側壁３６は、使用時には、レンズ３２と屈曲部３８に位置決めされた携帯型電子端末１０との距離を所定の距離に保ち、収納時には、レンズ３２の方向に折り畳まれて、省スペースに収納可能な部材である。
【００２３】
左側庇部４０ａ及び右側庇部４０ｂ（以下、「庇部４０」ともいう。）は、レンズ部３１の上方にそれぞれ折り畳み自在に連接され、端部が折り畳まれた平面状の部材であり、使用時には、レンズ３２に対して略直角に折り曲げられて、側壁３６と共に、レンズ３２を立設させる支持部材としての役割を果たすことができる。具体的には、折り畳み自在な庇部４０が一端側から保持ポケット２２に挿入された状態でも、庇部４０とレンズ３２とが折り畳み可能であるため、カバー部２０の内側面に対して、略垂直にレンズ３２を立設させることができる。一方、収納時には、レンズ３２の方向に折りたたまれて、省スペースに収納が可能な部材である。
【００２４】
遮蔽部４２は、図３（ｃ）に示すように、本体部４２ａ、接続部４２ｂ及び固定部４２ｃがそれぞれ折り畳み可能に連接された部材である。この遮蔽部４２は、左眼用レンズ３２ａの下方側に接続部４２ｂが折り畳み可能に連接されることで、レンズ部３１の下方側に連接される。使用する際には、左眼用レンズ３２ａと接続部４２ｂとの間で略直角に折り曲げられた後、本体部４２ａと接続部４２ｂとの間で略直角に折り曲げられることで、連接部３４と当接し、左眼用レンズ３２ａと右眼用レンズ３２ｂとの間に位置決めされる。こうすることにより、左眼用レンズ３２ａを介して左眼用の立体画像が右眼によって視認されたり、右眼用レンズ３２ｂを介して右眼用の立体画像が左眼によって視認されたりする可能性を低減し、立体視を容易にする。このとき、本体部４２ａの右眼用レンズ３２ｂ側の辺の長さは右眼用レンズ３２ｂの長さと略同一の長さに形成されており、右眼用レンズ３２ｂは略正方形形状に形成されているため、使用する際に本体部４２ａと遮蔽部４２とを当接させた際、固定部４２ｃが右眼用レンズ３２ｂの上方側に位置することになるため、この固定部４２ｃを左側庇部４０ａと右側庇部４０ｂとの間を通過させ、折り曲げることで左側庇部４０ａ又は右側庇部４０ｂの上面側に当接させることができる。こうすることにより、接続部４２ｂと左眼用レンズ３２ａとの折れ曲りが復元し、遮蔽部４２の位置が移動する可能性を未然に低減することができる。付言すると、遮蔽部４２を容易に固定することができるため、容易に立体視することができる。
【００２５】
続いて、立体表示具３０の折り畳み方法について、図３及び図４を用いて説明する。ここで、図３及び図４は、立体表示具３０の折り畳み方法を説明するための説明図であり、それぞれの図は、立体表示具３０を折り畳む際のそれぞれの過程を示した説明図である。
【００２６】
立体表示具３０を折り畳む際には、まず、左側壁３６ａを左側に、右側壁３６ｂを右側にそれぞれ回動し、携帯型電子端末１０の裏面側に挿入された屈曲部３８を離脱させる（図３（ａ）参照）。このまま左側壁３６ａ及び右側壁３６ｂを回動させ、屈曲部３８、側壁３６、レンズ部３１が略一直線上に位置する状態まで、側壁３６を回動させる。同時に、遮蔽部４２をレンズ部３１と同一平面上の位置まで右回動し、庇部４０の上面側から固定部４２ｃを離脱させる（図３（ｂ）参照）。続いて、本体部４２ａをレンズ３２と同一平面上の位置まで右回転すると共に、固定部４２ｃをレンズ部３１と同一平面上の位置まで右回転する（図３（ｃ）参照）。こうすることで、レンズ部３１、側壁３６及び庇部４０が同一平面上に位置することになる。
【００２７】
続いて、カバー部２０の他面側とともに携帯型電子端末１０を回転させてカバー部２０を平面状にすると共に、レンズ部３１をカバー部２０の方向に回動し、レンズ部３１と庇部４０とを当接させる。この状態で、遮蔽部４２をレンズ部３１と当接するまで回動させることで、レンズ部３１及び遮蔽部４２をコンパクトに折り畳むことができる（図４（ａ）参照）。続いて、左側壁３６ａ及び右側壁３６ｂをそれぞれレンズ３２の方向に回動し、側壁３６と庇部４０とを当接させる。このとき、左側壁３６ａに設けられた固定穴３７に右側壁３６ｂに設けられた右側屈曲部３８ｂの一部を挿入することで、側壁３６と庇部４０とが当接した状態を保つことができる。このように側壁３６と庇部４０とが当接した状態を保つことで、庇部４０がレンズ部３１と当接した状態も同時に保つことができる（図４（ｂ）参照）。
【００２８】
最後に、カバー部２０の中央部で携帯型電子端末１０の表面と側壁３６の一面とが当接するように二つ折りにすることで、携帯型電子端末１０及び立体表示具３０がカバー部２０の内側に収納され、コンパクトで高い携帯性を備えることができる（図４（ｃ）参照）。
【００２９】
一方、立体表示具３０を使用する場合には、上述した折り畳み方法を逆に行えば良い。具体的には、中央で二つ折りにされているカバー部２０の一方を略９０°回動させて、カバー部２０を平面の状態とする（図４（ｂ）参照）。続いて、固定穴３７から右側屈曲部３８ｂを離脱させ、右側壁３６ｂを右側に、左側壁３６ａを左側に、それぞれ回動し、レンズ部３１と側壁３６とが略同一平面上に位置する状態とする（図４（ａ）参照）。
【００３０】
次に、庇部４０とレンズ部３１との間を略９０°回動すると共に、レンズ部３１から離れる方向に遮蔽部４２を回動し、レンズ３２、庇部４０及び遮蔽部４２が略同一平面上に位置する状態とする。続いて、携帯型電子端末１０を略９０°回動する（図３（ｃ）参照）。こうすることにより、携帯型電子端末１０とレンズ３２とが互いに略平行な位置に配置されることになる。
【００３１】
次に、接続部４２ｂと本体部４２ａとの間を軸に本体部４２ａを接続部４２ｂ及び携帯型電子端末１０に近づく方向に略９０°回動する（図３（ｂ）参照）。続いて、庇部４０をレンズ３２の方向に略９０°回動する。具体的には、左眼用レンズ３２ａと接続部４２ｂとの間を軸に庇部４０を略９０°回転する。こうすることで、遮蔽部４２が左眼用レンズ３２ａと右眼用レンズ３２ｂとの間に位置決めされる。このとき、固定部４２ｃを左側庇部４０ａと右側庇部４０ｂとの間を通過させ、折り曲げることで左側庇部４０ａ又は右側庇部４０ｂの上面側に当接させることができる。こうすることにより、接続部４２ｂと左眼用レンズ３２ａとの折れ曲りが復元し、遮蔽部４２の位置が移動する可能性を未然に低減することができる。
【００３２】
次に、左側壁３６ａを右側方向に、右側壁３６ｂを左側方向にそれぞれ回動すると共に、折り畳まれた屈曲部３８を折り曲げ（図３（ａ）参照）、カバー部２０と携帯型電子端末１０との間に挿入する。こうすることにより、側壁３６によってレンズ３２と携帯型電子端末１０との間の距離が所定の距離（側壁３６の長さ分の距離）に位置決めされることになり、携帯型電子端末１０に表示された立体画像を立体視するための適切な距離に位置決めされる。加えて、屈曲部３８をカバー部２０と携帯型電子端末１０との間に挿入することで、側壁３６が外側方向に開く可能性を未然に低減することができる。言い換えると、レンズ３２を立体視するために最適な位置に位置決めし、その位置が移動する可能性を低減することができる。
【００３３】
このとき、レンズ部３１の左右方向の長さが、保持部２４で保持された状態の携帯型電子端末１０の左右方向の長さより長い場合には、携帯型電子端末１０と側壁３６とが当接する位置まで屈曲部３８を挿入すると、連接部３４が湾曲し、左眼用レンズ３２ａと右眼用レンズ３２ｂとが所定の角度で折れ曲がった状態となる。こうすることにより、携帯型電子端末１０に表示された立体画像をより明確に立体視することができる。加えて、庇部４０の左右方向の幅は、レンズ３２と連接する側から遠ざかるに従って短くなるように形成されているため、左眼用レンズ３２ａと右眼用レンズ３２ｂとが所定の角度を有する場合であっても、左側屈曲部３８ａと右側屈曲部３８ｂとが互いに衝突する可能性を未然に低減することができる。なお、レンズ部３１の左右方向の長さが携帯型電子端末１０の左右方向の長さより短い場合には、この場合とは反対方向に連接部３４が湾曲することになるが、このような場合であっても、立体視することができる。
【００３４】
以上詳述した本実施の形態の立体表示具３０は、側壁３６及び屈曲部３８が折り畳み可能に設けられているため、使用する際には、レンズ部３１、側壁３６、屈曲部３８によって所定の位置に位置決めすることができ、使用しない際には、レンズ部３１、側壁３６及び屈曲部３８が互いに重なるように折り畳むことができるため、携帯型電子端末１０に表示された立体画像を容易に立体視することができ、使用後は、側壁３６及び屈曲部３８を折り畳むことで、コンパクトに収納し、容易に携帯することができる。
【００３５】
また、庇部４０も折り畳み可能に設けられているため、使用時には、庇部４０を折り曲げて携帯型電子端末１０とカバー部２０との間に挿入することで、レンズ３２と携帯型電子端末１０との距離を位置決めし、携帯型電子端末１０に表示された立体画像を立体視し易くし、使用した後には、コンパクトに折り畳み、携帯しやすくすることができる。
【００３６】
更に、側壁３６をレンズ３２の方向に折り畳んだ状態で、レンズ３２と庇部４０とが互いに近づく方向に折り畳むことで、コンパタクトに折り畳み、携帯しやすくすることができる。このとき、側壁３６が折り畳まれる方向と庇部４０が折り畳まれる方向が互いに異なっているため、意図せず折り畳みが解除される可能性を未然に低減することができる。特に、本実施例においては、側壁３６が折り畳まれる方向と庇部４０が折り畳まれる方向が互いに直交する方向であるため、この効果が高い。
【００３７】
更にまた、左眼用レンズ３２ａと右眼用レンズ３２ｂとは、連接部３４によって互いのレンズがなす角度が変更可能に連接されているため、左眼用レンズ３２ａと右眼用レンズ３２ｂとの角度を、立体視し易い角度に調整することができる。言い換えると、立体表示具３０を用いて、立体視がし易い。
【００３８】
なお、本発明は上述した実施の形態に何ら限定されることはなく、本発明の技術的範囲に属する限り種々の態様で実施し得ることはいうまでもない。
【００３９】
例えば、上述した実施の形態では、レンズ３２を用いるものとしたが、原料としてガラスや有機ガラス、樹脂等を用いたものに限定されるものではなく、光を屈折させることで立体視を補助するものであれば、例えば、樹脂製フィルムや偏光フィルム等を用いてもよい。いずれの場合であっても、上述した実施の形態と同様の効果が得られる。
【００４０】
上述した実施の形態では、立体表示具３０は、全体が主に、紙を素材とするものとしたが、合成樹脂等を素材としても良い。この場合も、上述した実施の形態と同様の効果が得られる。
【００４１】
上述した実施の形態では、カバー部２０は、中央部で二つ折り可能なカバー部材であるものとしたが、このような素材としては、例えば、紙を用いてもよいし、合成樹脂製のシートやフィルム等を用いても良い。いずれの場合であっても、上述した実施の形態と同様の効果が得られる。
【産業上の利用可能性】
【００４２】
上述した実施の形態で示すように、映像分野、特に、立体視眼鏡として利用することができる。
【符号の説明】
【００４３】
１０…携帯型電子端末、２０…カバー部、２２…保持ポケット、２４…保持部、３０…立体表示具、３１…レンズ部、３２…レンズ、３２ａ…左眼用レンズ、３２ｂ…右眼用レンズ、３４…連接部、３６…側壁、３６ａ…左側壁、３６ｂ…右側壁、３７…固定穴、３８…屈曲部、３８ａ…左側屈曲部、３８ｂ…右側屈曲部、４０…庇部、４０ａ…左側庇部、４０ｂ…右側庇部、４２…遮蔽部、４２ａ…本体部、４２ｂ…接続部、４２ｃ…固定部。
【図１】
0006584864.tif 000002
【図２】
0006584864.tif 000003
【図３】
0006584864.tif 000004
【図４】
0006584864.tif 000005